(57)【要約】【課題】光源の熱による光学部品への影響を低減できる光学部品用筐体及びこれを備えたプロジェクタを提供すること。【解決手段】光学部品用筐体５は、光源ランプ等を収納する光源収納部５１と、各光学部品を収納する光学部品収納部５２とを備えている。光源収納部５１は断熱性材料で構成されており、光源収納部本体５１１と、第１蓋部５１２とを備える。光学部品収納部５２は、熱伝導性材料で構成されており、光学部品収納部本体５２１と、第２蓋部５２２とを備える。【選択図】  図６
2004170703.tif 000002
【特許請求の範囲】
【請求項１】
光源及び複数の光学部品を収納するとともに、前記複数の光学部品を前記光源から射出された光束の照明光軸上の所定位置に配置する光学部品用筐体であって、
前記光源を収納する光源収納部と、前記光学部品を収納する光学部品収納部とを備え、
前記光源収納部は断熱性材料で構成され、
前記光学部品収納部は熱伝導性材料で構成されていることを特徴とする光学部品用筐体。
【請求項２】
光源及び複数の光学部品を収納するとともに、前記複数の光学部品を前記光源から射出された光束の照明光軸上の所定位置に配置する光学部品用筐体であって、
前記光源を収納する光源収納部と、前記光学部品を収納する光学部品収納部とを備え、
前記光源収納部と、前記光学部品収納部との間には、隙間が形成されていることを特徴とする光学部品用筐体。
【請求項３】
請求項１又は２に記載の光学部品用筐体において、
前記光学部品収納部は、前記光学部品を収納するための開口が形成された光学部品収納部本体と、前記開口を閉塞する板状の蓋部とを有していることを特徴とする光学部品用筐体。
【請求項４】
請求項３に記載の光学部品用筐体において、
前記光学部品は入射した光束を画像情報に応じて変調し、光学像を形成する光変調装置と、この光変調装置の光路前段に配置される光学変換素子とを含み、
前記光学部品収納部本体には、前記光変調装置が当接する接触部が形成され、前記蓋部には前記光学変換素子が当接する接触部が形成されていることを特徴とする光学部品用筐体。
【請求項５】
請求項３又は４に記載の光学部品用筐体において、
前記光学部品収納部の前記光学部品収納部本体と、前記蓋部との間には隙間が形成され、または、断熱材が介在されていることを特徴とする光学部品用筐体。
【請求項６】
請求項３〜５の何れかに記載の光学部品用筐体において、
前記光源収納部、光学部品収納部の光学部品収納部本体、蓋部には、これらの相対位置を位置決めして一体的に固定するための位置決め穴が形成されていることを特徴とする光学部品用筐体。
【請求項７】
請求項１又は２に記載の光学部品用筐体において、
前記光学部品収納部は、前記光学部品を収納するための開口が形成された光学部品収納部本体を有しており、
前記光源収納部は、光源収納部本体と、この光源収納部本体に一体的に形成され、前記光学部品収納部本体の開口を閉塞する板状の蓋部とを有しており、
前記光源収納部の光源収納部本体及び前記板状の蓋部は断熱性材料で構成され、
前記光学部品収納部本体は熱伝導性材料で構成されていることを特徴とする光学部品用筐体。
【請求項８】
請求項１から７の何れかに記載の光学部品用筐体において、
前記光源収納部の内面には、光を反射する反射コーティングが施されていることを特徴とする光学部品用筐体。
【請求項９】
請求項１から８の何れかに記載の光学部品用筐体を備えたことを特徴とするプロジェクタ。
【請求項１０】
請求項９に記載のプロジェクタにおいて、
前記光学部品用筐体を収納する外装ケースを有し、
前記外装ケースの内面には、反射率を抑えた高輻射塗料が塗布されていることを特徴とするプロジェクタ。
【発明の詳細な説明】
【０００１】
【発明の属する技術分野】
本発明は、光学部品用筐体及びプロジェクタに関する。
【０００２】
【背景技術】
従来、会議、学会、展示会等でのプレゼンテーションにおいては、光源から射出された光束を、画像情報に応じて変調して光学像を形成し、拡大投射するプロジェクタが利用されている。
このようなプロジェクタとしては、いわゆる三板式のプロジェクタが知られている。
【０００３】
この三板式のプロジェクタの光学系は、光源から射出された光束を照明光学系により照射面内強度を均一にし、色分離光学系で赤色光、緑色光、青色光の三色光に分離し、各色光毎に光変調装置により変調を行った後、色合成光学系で変調後の各色光を合成して、投射光学系からカラー画像を拡大投射するように構成されている。
ここで、これらの光学系は、それぞれ複数の光学部品を備えている。例えば、照明光学系は光源から射出された光束を複数の部分光束に分割するインテグレータレンズや部分光束を集光するコンデンサレンズを備えている。
【０００４】
そして、これらの複数の光学部品を光源から射出された光束の照明光軸上の所定位置に設置するために、光源と、これらの光学部品とを収納するライトガイドと呼ばれる光学部品用筐体が利用されている。
この光学部品用筐体は、光源や光学部品から発生する熱を逃がすために、金属等の熱伝導性部材から構成されていることが多い（例えば、特許文献１参照）。
【０００５】
【特許文献１】
特開２００２−１０７８１６号公報（図５）
【０００６】
【発明が解決しようとする課題】
このような光学部品用筐体において、光源が収納されている部分で発生する熱量は９０〜１００Ｗ程度である。一方、光学部品が収納されている部分で発生する熱量は１０Ｗ程度である。そのため、光源が収納されている部分から光学部品が収納されている部分に熱が伝導しやすく、光学部品が光源の熱の影響を受けやすいという問題がある。
【０００７】
本発明の目的は、光源の熱による光学部品への影響を低減できる光学部品用筐体及びこれを備えたプロジェクタを提供することである。
【０００８】
【課題を解決するための手段】
本発明の光学部品用筐体は、光源及び複数の光学部品を収納するとともに、前記複数の光学部品を前記光源から射出された光束の照明光軸上の所定位置に配置する光学部品用筐体であって、前記光源を収納する光源収納部と、前記光学部品を収納する光学部品収納部とを備え、前記光源収納部は断熱性材料で構成され、前記光学部品収納部は熱伝導性材料で構成されていることを特徴とする。
【０００９】
ここで、断熱性材料としては、例えば、バルクモールディングコンパウンド（ＢＭＣ）、ポリフェニレンサルフィド（ＰＰＳ）等の樹脂があげられる。また、熱伝導性材料としては、金属や、熱伝導性樹脂等があげられる。
この発明によれば、光源収納部を断熱性材料で構成しているので、光源の熱が光源収納部を介して光学部品収納部へ伝達されにくくなる。これにより、光源の熱による光学部品への影響を低減できる。
また、光学部品収納部を熱伝導性材料で構成しているので、光学部品自身から発生する熱を放熱することができ、光学部品自身から発生する熱が光学部品収納部に溜まってしまうことを防止できる。
【００１０】
本発明の光学部品用筐体は、光源及び複数の光学部品を収納するとともに、前記複数の光学部品を前記光源から射出された光束の照明光軸上の所定位置に配置する光学部品用筐体であって、前記光源を収納する光源収納部と、前記光学部品を収納する光学部品収納部とを備え、前記光源収納部と、前記光学部品収納部との間には、隙間が形成されていることを特徴とする。
この発明によれば、光源収納部と、光学部品収納部との間に隙間を形成することで、光源収納部の熱が光学部品収納部へ伝達されにくくなる。これにより、光源の熱による光学部品への影響を低減できる。
なお、この場合には、光源収納部及び光学部品収納部の双方を金属等の熱伝導性部材で構成することができる。
【００１１】
本発明では、前記光学部品収納部は、前記光学部品を収納するための開口が形成された光学部品収納部本体と、前記開口を閉塞する板状の蓋部とを有していることが好ましい。さらには、前記光学部品は入射した光束を画像情報に応じて変調し、光学像を形成する光変調装置と、この光変調装置の光路前段に配置される光学変換素子とを含み、前記光学部品収納部本体には、前記光変調装置が当接する接触部が形成され、前記蓋部には前記光学変換素子が当接する接触部が形成されていることが好ましい。
【００１２】
この発明によれば、光学部品収納部は体積（熱容量）の大きい光学部品収納部本体と、体積（熱容量）の小さい蓋部とを有しているため、発熱量の大きな光学部品の熱を光学部品収納部本体に伝達させ、発熱量の小さい光学部品の熱を蓋部に伝達させることができる。これにより、効率よく熱を逃がすことができる。
すなわち、光学部品が発熱量の大きい光変調装置と、発熱量の小さい光学変換素子とを有する場合、光学部品収納部に光変調装置が当接する接触部を形成し、また、蓋部に光学変換素子が当接する接触部を形成することで、より効率よく熱を逃がすことができるのである。なお、この接触部は、直接、光変調装置や、光学変換素子に接触するものであってもよく、また、熱伝導性の弾性体等を介して間接的に接触するものであってもよい。
【００１３】
本発明では、前記光学部品収納部の前記光学部品収納部本体と、前記蓋部との間には隙間が形成され、または、断熱材が介在されていることが好ましい。
この発明によれば、光学部品収納部本体と蓋部との間には隙間が形成され、あるいは断熱材が介在されているので、光学部品収納部本体の熱が蓋部に伝導することがなく、蓋部に溜まった熱の放熱を効率よく行うことができる。
【００１４】
本発明では、前記光源収納部、光学部品収納部の光学部品収納部本体、前記蓋部には、これらの相対位置を位置決めして一体的に固定するための位置決め穴が形成されていることが好ましい。
この発明によれば、光源収納部、光学部品収納部の光学部品収納部本体、蓋部に位置決め用の穴を形成することで、これらの相対的な位置を容易に決定することができ、光学部品の位置ずれから発生する光軸のずれを防止できる。
【００１５】
本発明では、前記光学部品収納部は、前記光学部品を収納するための開口が形成された光学部品収納部本体を有しており、前記光源収納部は、光源収納部本体と、この光源収納部本体に一体的に形成され、前記光学部品収納部本体の開口を閉塞する板状の蓋部とを有しており、前記光源収納部の光源収納部本体及び前記板状の蓋部は断熱性材料で構成され、前記光学部品収納部本体は熱伝導性材料で構成されていることが好ましい。
【００１６】
この発明によれば、光源収納部の光源収納部本体と、蓋部とを一体的に形成することで、部品点数を少なくすることができ、光学部品用筐体の組み立てを容易化することができる。
さらに、光学部品収納部の光学部品収納部本体を熱伝導性材料で構成することで、光学部品から発生する熱を逃がすことができる。従って、光学部品自身から発生する熱が光学部品収納部本体に溜まってしまうことを防止できる。
【００１７】
本発明では、前記光源収納部の内面には、光を反射する反射コーティングが施されていることが好ましい。
ここで、反射コーティングとしては、例えば、ミラー蒸着等があげられる。
この発明によれば、光源収納部の内面に反射コーティングを行うことで、光源収納部は光源から射出される光を吸収しにくくなり、光源収納部の熱の発生を抑制できる。
【００１８】
本発明のプロジェクタは、上述した何れかの光学部品用筐体を備えたことを特徴とする。
この本発明によれば、上述した光学部品用筐体を備えているので、光学部品用筐体と同様の作用・効果を奏することができる。すなわち、光源の熱による光学部品への影響を低減できるという効果を奏することができる。
【００１９】
本発明では、前記光学部品用筐体を収納する外装ケースを有し、前記外装ケースの内面には、反射率を抑えた高輻射塗料が塗布されていることが好ましい。
この発明によれば、外装ケースの内面には、高輻射塗料が塗布されているので、外装ケースの表面温度を低下させることができる。これにより、光学部品用筐体の熱を外装ケースを通じて外部へ効率よく逃がすことができる。
【００２０】
【発明の実施の形態】
〔１．第１実施形態〕
以下、本発明の第１実施形態を図面に基づいて説明する。
〔１−１．プロジェクタの主な構成〕
図１は、本発明の第１実施形態に係るプロジェクタ１を上方から見た全体斜視図、図２は、図１の状態からアッパーケース２１を外した分解斜視図である。
プロジェクタ１は、光源から射出された光束を光学的に処理して画像情報に対応した光学像を形成する光学ユニット４と、図示しないが、電源ブロックやランプ駆動回路等とを備え、これらは外装ケース２内に収納されている。
外装ケース２は、それぞれ金属で構成され、プロジェクタ１の天面、前面、および側面をそれぞれ構成するアッパーケース２１と、プロジェクタ１の底面、側面、および背面をそれぞれ構成するロアーケース２２とで構成されている。これらのケース２１，２２は互いにねじで固定されている。
【００２１】
アッパーケース２１は、上面部２１１と、その周囲に設けられた側面部２１２と、背面部２１３と、正面部２１４で形成されている。
背面部２１３には、具体的な図示は省略するが、コンピュータ接続用の接続部や、ビデオ入力端子、オーディオ機器接続端子等の各種の機器接続用端子が設けられており、該背面部２１３の内側には、映像信号等の信号処理を行う信号処理回路が実装されたインターフェース基板が配置されている。
正面部２１４には、切欠部２１４Ａが形成されており、前記ロアーケース２２と組み合わされた状態で、円形の開口部２Ａを形成し、この開口部２Ａから、外装ケース２内部に配置された光学ユニット４の一部が、外部に露出している。この開口部２Ａを通して光学ユニット４で形成された光学像が射出され、スクリーン上に画像が表示される。
【００２２】
ロアーケース２２は、底面部２２１と、その周囲に設けられた側面部２２２と、背面部２２３と、正面部２２４で形成されている。
底面部２２１には、図示は省略するが、前記光学ユニット４の下方に位置し、後述する光源装置を着脱する開口部が形成されており、該開口部には、ランプカバーが嵌め込み式で着脱可能に設けられている。また、この底面部２２１には外部から冷却空気を吸気するための吸気口２２１Ａが形成されている（図９参照）。
正面部２２４には、切欠部２２４Ａが形成され、前記アッパーケース２１と組み合わされた状態で、上述した切欠部２１４Ａと連続して円形の開口部２Ａを形成する。
このような、外装ケース２のアッパーケース２１及びロアーケース２２の内面には、反射率を抑えた高輻射塗料が塗布されている。この高輻射塗料の塗装厚を例えば、０．１ｍｍとした場合には、放射率は０．９４％となり、未塗装の場合に比べ、２８％程度の温度低減効果を得ることができる。
【００２３】
光学ユニット４は、光源装置４１１から射出された光束を、光学的に処理して画像情報に対応した光学像を形成するユニットであり、後述する光源ランプ４１６、楕円面鏡４１７と、複数の光学部品４１１Ａ、４１２〜４１５、４１８、４２１〜４２３、４３１〜４３４、４４１〜４４４、４６と、これらを収納する光学部品用筐体５とを備えている。
具体的な図示は省略するが、この光学ユニット４は、電源ケーブルを通して電力が供給され、供給された電力を該光学ユニット４の光源装置４１１に供給するための電源装置と電気的に接続している。
また、この光学ユニット４の上方には、画像情報に応じた光学像を投写するために、画像情報を取り込んで制御および演算処理等を行い、後述する光変調装置となる各液晶パネル４４１Ｒ，４４１Ｇ，４４１Ｂを制御する制御基板が配置される。
【００２４】
〔１−２．光学系の構成〕
図３の模式図を参照して光学ユニット４の光学系を説明する。
光学ユニット４は、図３に示すように、インテグレータ照明光学系４１、色分離光学系４２、リレー光学系４３、光学装置４４、および投写レンズ４６を備えている。
インテグレータ照明光学系４１は、光学装置４４を構成する３枚の液晶パネル４４１（赤、緑、青の色光毎にそれぞれ液晶パネル４４１Ｒ，４４１Ｇ，４４１Ｂと示す）の画像形成領域をほぼ均一に照明するための光学系であり、光源装置４１１と、第１レンズアレイ４１２と、第２レンズアレイ４１３と、偏光変換光学素子４１４と、重畳レンズ４１５とを備えている。
【００２５】
これらのうち、光源装置４１１は、放射状の光線を射出する光源である光源ランプ４１６と、この光源ランプ４１６から射出された放射光を反射する楕円面鏡４１７と、光源ランプ４１６から射出され楕円面鏡４１７により反射された光を平行光とする平行化凹レンズ４１１Ａとを備える。なお、平行化凹レンズ４１１Ａの平面部分には、図示しないＵＶフィルタが設けられている。また、光源ランプ４１６としては、ハロゲンランプやメタルハライドランプ、高圧水銀ランプが多用される。さらに、楕円面鏡４１７および平行化凹レンズ４１１Ａの代わりに、放物面鏡を用いてもよい。
【００２６】
また、第１レンズアレイ４１２、第２レンズアレイ４１３、および偏光変換光学素子４１４は、一体的に組み合わされて光学部品用筐体５内に設置固定される。
第１レンズアレイ４１２は、光軸方向から見てほぼ矩形状の輪郭を有する小レンズがマトリクス状に配列された構成を有している。各小レンズは、光源ランプ４１６から射出される光束を、複数の部分光束に分割している。各小レンズの輪郭形状は、液晶パネル４４１の画像形成領域の形状とほぼ相似形をなすように設定されている。たとえば、液晶パネル４４１の画像形成領域のアスペクト比（横と縦の寸法の比率）が４：３であるならば、各小レンズのアスペクト比も４：３に設定する。
【００２７】
第２レンズアレイ４１３は、第１レンズアレイ４１２と略同様な構成を有しており、小レンズがマトリクス状に配列された構成を有している。この第２レンズアレイ４１２は、重畳レンズ４１５とともに、第１レンズアレイ４１２の各小レンズの像を液晶パネル４４１上に結像させる機能を有している。
【００２８】
偏光変換光学素子４１４は、第２レンズアレイ４１３と重畳レンズ４１５との間に配置されるとともに、第２レンズアレイ４１３と一体でユニット化されている。このような偏光変換光学素子４１４は、第２レンズアレイ４１３からの光を１種類の偏光光に変換するものであり、これにより、光学装置４４での光の利用効率が高められている。
【００２９】
具体的に、偏光変換光学素子４１４によって１種類の偏光光に変換された各部分光は、重畳レンズ４１５によって最終的に光学装置４４の液晶パネル４４１Ｒ，４４１Ｇ，４４１Ｂ上にほぼ重畳される。偏光光を変調するタイプの液晶パネルを用いたプロジェクタでは、１種類の偏光光しか利用できないため、ランダムな偏光光を発する光源ランプ４１６からの光のほぼ半分を利用することができない。
そこで、偏光変換光学素子４１４を用いることにより、光源ランプ４１６からの射出光をほぼ１種類の偏光光に変換し、光学装置４４での光の利用効率を高めている。なお、このような偏光変換光学素子４１４は、たとえば特開平８−３０４７３９号公報に紹介されている。
【００３０】
色分離光学系４２は、２枚のダイクロイックミラー４２１，４２２と、反射ミラー４２３とを備え、ダイクロイックミラー４２１、４２２によりインテグレータ照明光学系４１から射出された複数の部分光束を赤、緑、青の３色の色光に分離する機能を有している。
【００３１】
リレー光学系４３は、入射側レンズ４３１、リレーレンズ４３３、および反射ミラー４３２、４３４を備え、色分離光学系４２で分離された色光、赤色光を液晶パネル４４１Ｒまで導く機能を有している。
【００３２】
この際、色分離光学系４２のダイクロイックミラー４２１では、インテグレータ照明光学系４１から射出された光束の青色光成分が反射するとともに、赤色光成分と緑色光成分とが透過する。ダイクロイックミラー４２１によって反射した青色光は、反射ミラー４２３で反射し、フィールドレンズ４１８を通って青色用の液晶パネル４４１Ｂに達する。このフィールドレンズ４１８は、第２レンズアレイ４１３から射出された各部分光束をその中心軸（主光線）に対して平行な光束に変換する。他の液晶パネル４４１Ｇ、４４１Ｒの光入射側に設けられたフィールドレンズ４１８も同様である。
【００３３】
ダイクロイックミラー４２１を透過した赤色光と緑色光のうちで、緑色光はダイクロイックミラー４２２によって反射し、フィールドレンズ４１８を通って緑色用の液晶パネル４４１Ｇに達する。一方、赤色光はダイクロイックミラー４２２を透過してリレー光学系４３を通り、さらにフィールドレンズ４１８を通って赤色光用の液晶パネル４４１Ｒに達する。なお、赤色光にリレー光学系４３が用いられているのは、赤色光の光路の長さが他の色光の光路長さよりも長いため、光の発散等による光の利用効率の低下を防止するためである。すなわち、入射側レンズ４３１に入射した部分光束をそのまま、フィールドレンズ４１８に伝えるためである。
なお、リレー光学系４３には、３つの色光のうち、赤色光を通す構成としたが、これに限らず、例えば、青色光を通す構成としてもよい。
【００３４】
光学装置４４は、色分離光学系４２で分離された各色光が入射される３つの入射側偏光板４４２と、各入射側偏光板４４２の後段に配置される光変調装置としての液晶パネル４４１Ｒ，４４１Ｇ，４４１Ｂと、各液晶パネル４４１Ｒ，４４１Ｇ，４４１Ｂの後段に配置される射出側偏光板４４３と、色合成光学系としてのクロスダイクロイックプリズム４４４とを備える。
【００３５】
液晶パネル４４１Ｒ，４４１Ｇ，４４１Ｂは、例えば、ポリシリコンＴＦＴをスイッチング素子として用いたものであり、色分離光学系４２で分離された各色光は、これら３枚の液晶パネル４４１Ｒ，４４１Ｇ，４４１Ｂと入射側偏光板４４２および射出側偏光板４４３によって、画像情報に応じて変調されて光学像を形成する。
具体的には後述するが、液晶パネル４４１Ｒ，４４１Ｇ，４４１Ｂは、ＴＦＴのスイッチング素子がマトリックス状に配列し、該スイッチング素子によって電圧が印加される画素電極を備えた駆動基板と、画素電極に対応して対向電極を備えた対向基板とで構成される。
【００３６】
入射側偏光板４４２は、色分離光学系４２で分離された各色光のうち、一定方向の偏光光のみ透過させ、その他の光束を吸収するものであり、サファイアガラス等の基板に偏光膜が貼付されたものである。また、基板を用いずに、偏光膜をフィールドレンズ４１８に貼り付けてもよい。
射出側偏光板４４３も、入射側偏光板４４２と略同様に構成され、液晶パネル４４１（４４１Ｒ，４４１Ｇ，４４１Ｂ）から射出された光束のうち、所定方向の偏光光のみ透過させ、その他の光束を吸収するものである。また、基板を用いずに、偏光膜をクロスダイクロイックプリズム４４４に貼り付けてもよい。
これらの入射側偏光板４４２および射出側偏光板４４３は、互いの偏光軸の方向が直交するように設定されている。
【００３７】
クロスダイクロイックプリズム４４４は、３枚の液晶パネル４４１Ｒ，４４１Ｇ，４４１Ｂから射出された各色光毎に変調された画像を合成してカラー画像を形成するものである。なお、クロスダイクロイックプリズム４４４には、赤色光を反射する誘電体多層膜と青色光を反射する誘電体多層膜とが、４つの直角プリズムの界面に沿って略Ｘ字状に形成され、これらの誘電体多層膜によって３つの色光が合成される。そして、プリズム４４４で合成されたカラー画像は、投写レンズ４６から射出され、スクリーン上に拡大投写される。
【００３８】
以上説明した液晶パネル４４１、射出側偏光板４４３およびクロスダイクロイックプリズム４４４は、一体的にユニット化された光学装置本体４５として構成されている。図４及び図５は、光学装置本体４５を示す斜視図である。
光学装置本体４５は、図４及び図５に示すように、上述したクロスダイクロイックプリズム４４４、液晶パネル４４１、射出側偏光板４４３の他に、プリズム固定板４４５と、保持枠４４６と、パネル固定板４４７、熱伝導部材４４８、射出側偏光板押さえ４４９Ａ，４４９Ｂとを備えている。
【００３９】
プリズム固定板４４５は、クロスダイクロイックプリズム４４４の下面に固定され、光学装置本体４５を光学部品用筐体５に固定する。このプリズム固定板４４５は、略矩形状に形成されており、その外周形状は、クロスダイクロイックプリズム４４４と略同一である。このプリズム固定板４４５は、例えば、アルミニウム、マグネシウム合金、銅等の熱伝導性の高い金属、あるいは熱伝導性樹脂等で構成されている。
保持枠４４６は、液晶パネル４４１を収容する収容部を有する凹型枠体４４６Ａと、凹型枠体４４６Ａと係合し収納した液晶パネル４４１を押圧固定する支持板４４６Ｂとを備えている。また、保持枠４４６は、収納された液晶パネル４４１のパネル面に対応する位置に、開口部４４６Ｃが設けられている。さらに、保持枠４４６の四隅には孔４４６Ｄが形成されている。これら凹型枠体４４６Ａと支持板４４６Ｂとの固定は、支持板４４６Ｂの左右両側に設けられたフック４４６Ｅと、凹型枠体４４６Ａの対応する箇所に設けられたフック係合部４４６Ｆとの係合により行う。
【００４０】
ここで、液晶パネル４４１は、駆動基板４４１Ａ（例えば複数のライン状の電極と、画素を構成する電極と、これらの間に電気的に接続されたＴＦＴ素子とが形成された基板）と対向基板４４１Ｃ（例えば、共通電極が形成された基板）との間に液晶が封入されたものである。そして、これらの基板４４１Ａ，４４１Ｃの間から制御用ケーブル４４１Ｄが延びている。なお、これらの基板４４１Ａまたは４４１Ｃ上に、投写レンズ３のバックフォーカス位置から液晶パネル４４１のパネル面の位置をずらして光学的にパネル表面に付着したゴミを目立たなくするための防塵板を固着する構成としてもよい。このような液晶パネル４４１は、保持枠４４６の開口部４４６Ｃで露出し、この部分が画像形成領域となる。すなわち、液晶パネル４４１のこの部分に各色光Ｒ，Ｇ，Ｂが導入され、画像情報に応じて光学像が形成される。
【００４１】
パネル固定板４４７は、液晶パネル４４１を収納する保持枠４４６を保持固定する。このパネル固定板４４７は、矩形板状体４４７Ａと、この矩形板状体４４７Ａの四隅から突設されたピン４４７Ｂとを備えている。
このパネル固定板４４７は、保持枠４４６とクロスダイクロイックプリズム４４４との間に介在している。そして、このパネル固定板４４７とクロスダイクロイックプリズム４４４とは、パネル固定板４４７のピン４４７Ｂと反対側の端面がクロスダイクロイックプリズム４４４の光束入射端面に接着固定される。また、パネル固定板４４７と保持枠４４６とは、パネル固定板４４７のピン４４７Ｂと保持枠４４６の孔４４６Ｄとを介して、互いに接着固定される。
矩形板状体４４７Ａは、液晶パネル４４１の画像形成領域に対応して、略矩形状の開口部４４７Ｃが形成されている。
【００４２】
熱伝導部材４４８は、クロスダイクロイックプリズム４４４の上面に設置されている。この熱伝導部材４４８は、略矩形状に形成され、その外周形状がクロスダイクロイックプリズム４４４と略同一である熱伝導部材本体４４８Ａと、この熱伝導部材本体４４８Ａの上面及び下面に貼り付けられた弾力性のある熱伝導シート４４８Ｂとを備えている。
熱伝導部材本体４４８Ａは、例えば、アルミニウム、マグネシウム合金、銅等の熱伝導性の高い金属、あるいは熱伝導性樹脂等で構成されている。
このような熱伝導部材４４８の高さ寸法は、クロスダイクロイックプリズム４４４の上面からアッパーケース２１までの長さ寸法と略等しく、クロスダイクロイックプリズム４４４の上面に設置された熱伝導部材４４８は、アッパーケース２１に当接することとなる（図１０参照）。
【００４３】
射出側偏光板押さえ４４９Ａ，４４９Ｂは、ばね部材から構成されている。射出側偏光板押さえ４４９Ａは、平面略Ｃ字型形状とされ、熱伝導部材４４８の外周面を囲うように取り付けられ、この熱伝導部材４４８をクロスダイクロイックプリズム４４４に固定するとともに、射出側偏光板４４３の上端部をクロスダイクロイックプリズム４４４側に固定するものである。射出側偏光板押さえ４４９Ａの端部は熱伝導部材４４８に向かって折り曲げられている。
また、射出側偏光板押さえ４４９Ｂは、射出側偏光板押さえ４４９Ａと同様に平面略Ｃ字型形状とされ、プリズム固定板４４５の外周面を囲うように取り付けられるとともに、射出側偏光板４４３の下端部をクロスダイクロイックプリズム４４４側に固定するものである。射出側偏光板押さえ４４９Ｂの端部はプリズム固定板４４５に向かって折り曲げられている。
【００４４】
なお、射出側偏光板４４３はパネル固定板４４７と保持枠４４６との間に配置されており、射出側偏光板４４３の高さ寸法はクロスダイクロイックプリズム４４４の高さ寸法よりも高く、射出側偏光板４４３をクロスダイクロイックプリズム４４４側に固定した際には、射出側偏光板４４３の上端部は、熱伝導部材４４８に近接し、また、射出側偏光板４４３の下端部は、プリズム固定板４４５に近接する。この射出側偏光板４４３の上端部と、熱伝導部材４４８との間、射出側偏光板４４３の下端部と、プリズム固定板４４５との間には、弾力性のある熱伝導性シートＳが介在している（図１０参照）。
【００４５】
〔１−３．光学部品用筐体の構造〕
図６に光学ユニット４の光学部品用筐体５を示す。この光学部品用筐体５は、光源ランプ４１６、楕円面鏡４１７と複数の光学部品４１１Ａ、４１２〜４１５、４１８、４２１〜４２３、４３１〜４３４、４４１〜４４４、４６を収納するものである。光学部品用筐体５は、ロアーケース２２の右側の側面部２２２から背面部２２３に沿って、さらに、左側の側面部２２２に沿って正面部２１４へと延びる平面略Ｌ字形状となっている（図２参照）。光学部品用筐体５は、光源ランプ４１６と、楕円面鏡４１７とを収納する光源収納部５１と、各光学部品４１１Ａ、４１２〜４１５、４１８、４２１〜４２３、４３１〜４３４、４４１〜４４４、４６を収納する光学部品収納部５２とを備えている。
光源収納部５１は、箱形形状の光源収納部本体５１１と、この光源収納部本体５１１の光学部品収納部５２側の側面上端部から延びる第１蓋部５１２とを備えている。
【００４６】
光源収納部本体５１１の内側面には、開口部５１１Ａが形成されており、また、底面にも開口部（図示略）が形成されている。光源収納部本体５１１は、光源ランプ４１６と楕円面鏡４１７とを収納したランプハウジング８を収納するものである。光源収納部本体５１１の底面の開口からランプハウジング８をはめ込む。図７（Ａ）及び（Ｂ）に示すように、ランプハウジング８は、光源収納部本体５１１に固定される基台部８１と、この基台部８１の上方及び側方を覆う収納蓋８２とを有している。
基台部８１上には、楕円面鏡４１７を保持するための楕円面鏡保持部８１１と、収納蓋８２を係合するための孔８１２Ａが形成された係合部８１２、保護ガラス８３を保持するための保護ガラス保持部８１３とが立設配置されている。
保護ガラス保持部８１３は楕円面鏡４１７の開口側に配置されている。この保護ガラス保持部８１３により保持される保護ガラス８３は、光源ランプ４１６が破損した際の飛散を防止するものである。
収納蓋８２は、上面部８２１と、この上面部８２１から下垂する側面部８２２とを備えている。側面部８２２には係合片８２２Ａが形成されており、係合部８１２の孔８１２Ａに係合することで、ランプハウジング８が完成する。
【００４７】
光源収納部本体５１１の内面には、光を反射する反射コーティングが施されている。反射コーティングとしては、例えば、ミラー蒸着等が挙げられる。
第１蓋部５１２は、板状であり、後述する光学部品収納部５２の光学部品収納部本体５２１の開口の一部（第１本体部５２３の開口）を覆う。
このような光源収納部５１は断熱性材料で構成されている。断熱性材料としては、例えば、バルクモールディングコンパウンド（ＢＭＣ）、ポリフェニレンサルフィド（ＰＰＳ）等の樹脂があげられる。
【００４８】
光学部品収納部５２の内部には、複数の光学部品４１１Ａ、４１２〜４１５、４１８、４２１〜４２３、４３１〜４３４、４４１〜４４４、４６が光源ランプ４１６から射出された光束の照明光軸上の所定位置に配置されている。この光学部品収納部５２は、光学部品収納部本体５２１と、第２蓋部５２２とを備える。
光学部品収納部本体５２１は、図８にも示すようにインテグレータ照明光学系４１の平行化凹レンズ４１１Ａ、第１レンズアレイ４１２〜重畳レンズ４１５を収納する第１本体部５２３と、他の光学部品４１８、４２１〜４２３、４３１〜４３４、４４１〜４４４を収納する第２本体部５２４と、投写レンズ４６を設置するための投写レンズ設置部５２５とを備える。なお、図示しないがこの光学部品収納部本体５２１とロアーケース２２との間には熱伝導性の弾性部材が介在されている。
【００４９】
第１本体部５２３は、光源収納部５１の光源収納部本体５１１に当接して配置された箱形形状であり、その上面に光学部品４１１Ａ、４１２〜４１５を収納するための開口が形成されている。この上面の開口は第１蓋部５１２により覆われる。このような第１本体部５２３の側面には、平行化凹レンズ４１１Ａ等を上方からスライド式にはめ込むための溝部５２３Ａが形成されている。
【００５０】
第２本体部５２４は、第１本体部５２３に連通し、かつ、一体成形されており、上面に光学部品４１８、４２１〜４２３、４３１〜４３４、４４１〜４４４を収納するための開口が形成された箱形形状である。この第２本体部５２４の側面には、入射側レンズ４３１、反射ミラー４３２、リレーレンズ４３３を上方からスライド式に嵌め込むための溝部５２４Ａが形成されている。
また、第２本体部５２４の投写レンズ設置部５２５側の側面には、光学装置４４からの光束射出位置に対応して円形の孔５２４Ｂが形成されており、該孔５２４Ｂを通して投写レンズ４６で拡大投写された画像光が、スクリーン上に表示される。
【００５１】
第２本体部５２４の底面部には、ダイクロイックミラー４２１を支持する一対の第１ボス部５２４Ｃと、上記第２溝部５２４Ａに対応した溝を有する第２ボス部５２４Ｄとが突設されている。
また、この底面部には、光学装置４４の液晶パネル４４１の位置に対応して形成された開口５２４Ｅが形成されている。
さらに、底面部には、光学装置４４の液晶パネル４４１に対応して熱伝導枠（接触部）６Ａ，６Ｂが突設されている。すなわち、熱伝導枠６Ａは、液晶パネル４４１Ｒ，４４１Ｇの側方および液晶パネル４４１Ｇ，４４１Ｂの側方の２箇所に設けられ、熱伝導枠６Ｂは、液晶パネル４４１Ｒ，４４１Ｂの側方であって、光学装置４４の光束射出側に設けられている。
【００５２】
熱伝導枠６Ａ，６Ｂは、アルミニウム合金等の金属や熱伝導性樹脂等の熱伝導率の高い材料から形成されている。この熱伝導枠６Ａ，６Ｂと、液晶パネル４４１との間には熱伝導性の弾性部材６１が介在されている。弾性部材６１としては、熱伝導性良好な、弾性を有するシリコーンゴムで形成され、両面あるいは片面に表層の架橋密度を上げる表面処理が施されているものを採用できる。
【００５３】
第２蓋部５２２は、図６に示すように、光学装置本体４５に対応した部分に切欠開口５２２Ａが形成され、光学装置本体４５の熱伝導部材４４８や、制御用ケーブル４４１Ｄが露出している。
また、図示しないが、第２蓋部５２２には、光学部品収納部本体５２１によって支持されることのない光学部品、具体的にはフィールドレンズ４１８、ダイクロイックミラー４２２、反射ミラー４２３、反射ミラー４３４、入射側偏光板４４２を支持するためのホルダ（接触部）が設けられている。
【００５４】
さらに、第２蓋部５２２の第１蓋部５１２側の端部は、第１蓋部５１２側に突出しており、この突出部分５２２Ｂは第１蓋部５１２の上面に重なっている。この突出部分５２２Ｂ、突出部分５２２Ｂの下面の第１蓋部５１２及び第１本体部５２３には、位置決め穴Ｈが形成されており、図９に示すように、この位置決め穴Ｈに固定部材Ｆを差し込むことで、これらの相対位置が決められ、一体的に固定される。
【００５５】
以上のような光学部品用筐体５の光学部品収納部本体５２１及び第２蓋部５２２は、熱伝導性材料で構成されている。熱伝導性材料としては、銅や、マグネシウム合金、アルミ等の金属や、熱伝導性樹脂等があげられる
また、第２蓋部５２２と光学部品収納部本体５２１の第２本体部５２４との間には図示しないが断熱材が介在している。
【００５６】
〔１−４．光学部品用筐体の放熱経路〕
次に、このような光学ユニット４の放熱経路について説明する。
光源装置４１１からの光束の照射により、入射側偏光板４４２、光学装置本体４５の液晶パネル４４１、射出側偏光板４４３、クロスダイクロイックプリズム４４４では熱が発生する。
まず、クロスダイクロイックプリズム４４４の放熱経路について説明する。
図１０の模式図に示すように、クロスダイクロイックプリズム４４４上に設置された熱伝導部材４４８は、アッパーケース２１に当接しており、また、クロスダイクロイックプリズム４４４の下方のプリズム固定板４４５は光学部品収納部本体５２１に当接している。従って、クロスダイクロイックプリズム４４４から発生した熱の一部は、熱伝導部材４４８を介してアッパーケース２１に伝達され、放熱される。また、クロスダイクロイックプリズム４４４から発生した熱の一部は、プリズム固定板４４５を介して光学部品収納部本体５２１に伝達される。そして、この光学部品収納部本体５２１に伝達された熱は熱伝導性の弾性部材を介してロアーケース２２に伝達され、外部の空気により冷却される。
【００５７】
次に、射出側偏光板４４３の放熱経路について説明する。
射出側偏光板４４３の上端部は、熱伝導性シートＳを介して熱伝導部材４４８に接しており、また、下端部も熱伝導性シートＳを介してプリズム固定板４４５に接している。従って、射出側偏光板４４３の熱の一部は上端部から熱伝導性シートＳを介して熱伝導部材４４８に伝達される。この熱はアッパーケース２１に伝達され、放熱される。
また、射出側偏光板４４３の熱の他の一部は、下端部から熱伝導性シートＳを介してプリズム固定板４４５に伝達され、さらに、この熱は、プリズム固定板４４５から光学部品用筐体５の光学部品収納部本体５２１へ伝達される。そして、この熱は熱伝導性の弾性部材を介してロアーケース２２に伝達され、外部の空気により冷却される。
【００５８】
さらに、液晶パネル４４１の放熱経路について説明する。
液晶パネル４４１は、弾性部材６１を介して熱伝導枠６Ａ，６Ｂと接しているため、液晶パネル４４１の熱は、弾性部材６１を介して熱伝導枠６Ａ，６Ｂに伝達される。熱伝導枠６Ａ，６Ｂに伝達された熱は、光学部品収納部本体５２１の底面部に伝達される。さらに、この熱は熱伝導性の弾性部材を介してロアーケース２２に伝達され、外部の空気により冷却される。
【００５９】
入射側偏光板４４２は、次のようにして放熱する。
入射側偏光板４４２は、図示しないホルダにより光学部品用筐体５の第２蓋部５２２に取り付けられているため、入射側偏光板４４２の熱は第２蓋部５２２に伝達される。第２蓋部５２２は、外装ケース２内の空気により冷却され、放熱される。
【００６０】
なお、液晶パネル４４１や射出側偏光板４４３の熱は冷却空気による強制冷却によっても放熱される。すなわち、図示しないシロッコファンにより、外装ケース２のロアーケース２２の底面部２２１に形成された吸気口２２１Ａから外部の冷却空気が吸引され、この冷却空気は、光学装置本体４５の下方へと導かれ、光学部品収納部本体５２１の第２本体部５２４の開口５２４Ｅから光学部品収納部５２内部に導入される。この冷却空気は、各液晶パネル４４１Ｒ，４４１Ｇ，４４１Ｂとクロスダイクロイックプリズム４４４との間の空隙を通って、液晶パネル４４１と射出側偏光板４４３を冷却する。
【００６１】
〔１−５．第１実施形態の効果〕
従って、第１実施形態によれば、以下の効果を奏することができる。
（１−１）  光源ランプ等４１６が収納された光源収納部５１を断熱性材料で構成したため、光源収納部５１の熱が光学部品収納部５２へ伝達されにくくなる。これにより、光学部品収納部５２に収納されている光学部品４１１Ａ、４１２〜４１５、４１８、４２１〜４２３、４３１〜４３４、４４１〜４４４への光源のランプ４１６の熱による影響が低減される。
【００６２】
（１−２）  また、光学部品収納部５２を熱伝導性材料で構成しているので、光学部品４１１Ａ、４１２〜４１５、４１８、４２１〜４２３、４３１〜４３４、４４１〜４４４から発生する熱を放熱することができ、光学部品４１１Ａ、４１２〜４１５、４１８、４２１〜４２３、４３１〜４３４、４４１〜４４４自身から発生する熱が光学部品収納部５２に溜まってしまうことを防止できる。
【００６３】
（１−３）  光学部品収納部５２を箱状の光学部品収納部本体５２１と、第２蓋部５２２とを備えるものとし、光学部品のうち、発熱量の比較的少ない入射側偏光板４４２等の熱は、ホルダを介して体積（熱容量）の小さな第２蓋部５２２に伝達されるようにしている。
また、発熱量の比較的大きな液晶パネル４４１や射出側偏光板４４３、クロスダイクロイックプリズム４４４の熱は熱伝導枠６Ａ，６Ｂや、プリズム固定板４４５を介して体積（熱容量）の大きな光学部品収納部本体５２１に伝達される。このように発熱量に応じて熱を伝達する部材を変えることで、効率よく放熱することができる。
【００６４】
（１−４）  射出側偏光板４４３の熱の一部は、熱伝導性シートＳを介して熱伝導部材４４８に伝達され、他の一部は、熱伝導性シートＳを介してプリズム固定板４４５に伝達される。このように、放熱経路を二箇所形成することで、より効率よく射出側偏光板４４３の放熱を行うことができる。
【００６５】
（１−５）  同様に、クロスダイクロイックプリズム４４４の熱の一部は、熱伝導部材４４８を介してアッパーケース２１に伝達され、他の一部の熱は、プリズム固定板４４５を介して光学部品収納部本体５２１に伝達される。このように放熱経路を二箇所形成することでより効率よくクロスダイクロイックプリズム４４４の放熱を行うことができる。
【００６６】
（１−６）  上述したようにクロスダイクロイックプリズム４４４や射出側偏光板４４３の熱の一部はアッパーケース２１に伝達されており、このアッパーケース２１はプロジェクタ内の空気のみならず、外気によっても冷却することができるので、これにより、効率よく放熱することができる。
（１−７）  また、クロスダイクロイックプリズム４４４や射出側偏光板４４３、液晶パネル４４１から光学部品収納部本体５２１に伝達された熱は、熱伝導性の弾性部材を介してロアーケース２２に伝達されており、アッパーケース２１と同様、ロアーケース２２もプロジェクタ内の空気のみならず、外気によっても冷却することができるので、効率よく放熱することができる。
【００６７】
（１−８）  光学部品収納部本体５２１と第２蓋部５２２との間には断熱材が介在されているので、光学部品収納部本体５２１の熱が第２蓋部５２２に伝導することがなく、これにより第２蓋部５２２に溜まった熱の放熱を効率よく行うことができる。
（１−９）  第２蓋部５２２の端部を第１蓋部５１２側に突出させて第１蓋部５１２の上面に重ね、この突出部分５２２Ｂとこの突出部分５２２Ｂの下面の第１蓋部５１２及び第１本体部５２３に位置決め穴Ｈを形成したので、第２蓋部５２２、第１蓋部５１２、第１本体部５２３の相対的な位置を容易に決定することができ、光学部品の位置ずれから発生する光軸のずれを防止できる。
【００６８】
（１−１０）  光源収納部５１の内側の表面に反射コーティングを行うことで、光源収納部５１は光源ランプ４１６から射出される光をより吸収しにくくなり、光源収納部５１からの熱の発生を抑制できる。
（１−１１）  外装ケース２のアッパーケース２１及びロアーケース２２の内面には、反射率を抑えた高輻射塗料が塗布されているので、外装ケース２に熱が溜まりにくくなり、外装ケース２の温度を低減させることができる。
【００６９】
〔２．第２実施形態〕
次に、図１１を用いて本発明の第２実施形態について説明する。尚、以下の説明では、既に説明した部分と同一の部分については、同一符号を付してその説明を省略する。
第１実施形態では、光学部品用筐体５は、第１蓋部５１２及び光源収納部本体５１１を有する光源収納部５１と、光学部品収納部本体５２１及び第２蓋部５２２を有する光学部品収納部５２とを備えていた。これに対し、本実施形態の光学部品用筐体７は、板状の蓋部７１２及び光源収納部本体７１１を有する光源収納部７１と、光学部品収納部本体７２１を有する光学部品収納部７２とを備えている。
【００７０】
光学部品用筐体７について詳細に説明すると、光源収納部７１の光源収納部本体７１１は、第１実施形態の光源収納部本体５１１と略同様の形状、構造であり、ランプハウジング８を収納する。また、内部には第１実施形態の光源収納部本体５１１と同様に、反射コーティングが施されている。
光源収納部７１の蓋部７１２は、光源収納部本体７１１の側面上端部から光学部品収納部７２側に向かって延びている。この蓋部７１２は、光学部品収納部本体７２１の開口全面を一体的に覆うものである。なお、この蓋部７１２には、光学装置本体４５の位置に応じた切り欠き７１２Ａが形成されている。
このような光源収納部７１の光源収納部本体７１１及び蓋部７１２は断熱性材料で構成されている。
【００７１】
光学部品収納部７２は、光学部品収納部本体７２１を有しているが、前記実施形態と異なり、蓋部を有していない。光学部品収納部本体７２１は前記実施形態の光学部品収納部本体５２１と略同様の形状、構造であり、インテグレータ照明光学系４１の平行化凹レンズ４１１Ａ、第１レンズアレイ４１２〜重畳レンズ４１５を収納する第１本体部７２３と、他の光学部品４１８、４２１〜４２３、４３１〜４３４、４４１〜４４４を収納する第２本体部７２４と、投写レンズ４６を設置するための投写レンズ設置部７２５とを備える。
このような光学部品収納部７２は熱伝導性材料で構成されている。
各光学部品４１１Ａ、４１２〜４１５、４１８、４２１〜４２３、４３１〜４３４、４４１〜４４４の取り付けは第１実施形態と略同様であるが、入射側偏光板４４２は光学部品収納部本体７２１に取り付けられている。
また、前記実施形態では、光学部品収納部本体５２１と第２蓋部５２２との間には断熱材が介在されているとしたが、本実施形態では、光学部品収納部本体７２１と蓋部７１２との間には断熱材は介在されていない。
【００７２】
〔２−２．第２実施形態の効果〕
従って、第２実施形態によれば、第１実施形態の（１−１）、（１−２）、（１−４）〜（１−７）、（１−１０）、（１−１１）と同様の効果を奏することができるうえ、以下の効果を奏することができる。
（２−１）  光源収納部本体７１１に光学部品収納部本体７２１の開口全面を覆う蓋部７１２を一体的に設けることにより、光学部品用筐体７は２点の部材により構成されることとなる。これにより部材点数の削減を図ることができ、光学部品用筐体７の組み立てを容易化することができる。
（２−２）  また、このように、２点の部材から光学部品用筐体７を構成する場合には、部材同士の取り付け位置を決めることが容易となる。
【００７３】
（２−３）  光学部品収納部本体７２１は、熱伝導性材料で構成されており、蓋部７１２は断熱性材料で構成されているので、光学部品収納部本体７２１の熱は蓋部７１２に伝達されず、熱容量の少ない蓋部７１２に熱が溜まってしまうことはない。従って、前記実施形態のように断熱材を介在させる必要がないので、部材点数を削減することができる。
【００７４】
なお、本発明は前述の実施の形態に限定されるものではなく、本発明の目的を達成できる範囲での変形、改良等は本発明に含まれるものである。
例えば、前記実施形態では、外装ケース２の内面に高輻射塗料が塗布されているとしたが、高輻射塗料の代わりに、白色塗料等が塗布されていてもよい。白色塗料等によっても表面温度の低減効果を得ることができる。
また、外装ケース２にはこのような塗料は塗布されていなくてもよい。このようにすれば、プロジェクタ１の製造に手間がかからない。
【００７５】
さらに、前記実施形態では、光源収納部５１，７１の内面に反射コーティングが施されているとしたが、反射コーティングが施されていなくてもよい。
また、第１実施形態では、第２蓋部５２２の端部を第１蓋部５１２側に突出させて第１蓋部５１２の上面に重ね、この突出部分５２２Ｂとこの突出部分５２２Ｂの下面の第１蓋部５１２及び第１本体部５２３に位置決め穴Ｈを形成したが、突出部分５２２Ｂ及び位置決め穴Ｈを形成しなくてもよい。第２蓋部５２２を光学部品収納部本体５２１の第２本体部５２４にのみ固定する構造としてもよい。この場合には、第２蓋部５２２に突出部分５２２Ｂが形成されないので、第２蓋部５２２の形状を単純化することができる。ただし、第２蓋部５２２と第１蓋部５１２がずれないように注意を払う必要がある。
【００７６】
また、第１実施形態では、光学部品収納部本体５２１と、第２蓋部５２２との間には断熱材が介在されているとしたが、このような構造に限らず、隙間を形成してもよい。隙間を形成することで光学部品収納部本体５２１の熱が第２蓋部５２２へ伝達されてしまうことを防止できる。また、断熱材をなくすことで、コストの低減を図ることができる。
さらに、このような隙間や断熱材はなくてもよい。このようにすれば、より簡単に光学部品用筐体５を組み立てることができる。
【００７７】
さらに、前記実施形態では、光学部品収納部本体５２１，７２１は上面が開口しており、この光学部品収納部本体５２１，７２１上に第２蓋部５２２や、第１蓋部５１２、蓋部７１２が設置される構造としたが、このような構造には限られず、光学部品収納部本体を下面が開口した構造とし、下側から蓋部により開口をふさぐ構造としてもよい。
【００７８】
前記実施形態では、光源収納部５１，７１の光源収納部本体５１１，７１１と光学部品収納部５２，７２の光学部品収納部本体５２１，７２１との間には隙間を形成しなかったが、この間に隙間を形成してもよい。隙間を形成することで、より確実に光源収納部５１，７１から光学部品収納部５２，７２への熱の伝達を防止できる。
また、このように隙間を形成する場合には、光源収納部５１，７１と光学部品収納部５２，７２とを金属等の熱伝導性材料で構成してもよい。このように双方を金属等で形成しても隙間が形成されているので光源収納部５１，７１から光学部品収納部５２，７２への熱の伝達を確実に防止できる。また、双方を金属等の同じ材料で成形できるので、製造にかかる手間を省くことができる。
【００７９】
さらに、第１実施形態では、入射側偏光板４４２等の熱は光学部品収納部５２の第２蓋部５２２に伝達されるとしたが、これに限らず、光学部品収納部本体５２１に伝達されるものとしてもよい。
【図面の簡単な説明】
【図１】第１実施形態のプロジェクタを上方から見た全体斜視図。
【図２】前記実施形態におけるプロジェクタの内部構造を表す図。
【図３】前記実施形態におけるプロジェクタの光学系を模式図。
【図４】光学装置本体の分解斜視図。
【図５】光学装置本体の斜視図。
【図６】光学ユニットを示す斜視図。
【図７】ランプハウジングを示す斜視図。
【図８】前記光学ユニットの内部を示す平面図。
【図９】光学ユニットの光学部品用筐体の要部を示す断面図。
【図１０】光学ユニットの要部を示す模式図。
【図１１】光学ユニットの変形例を示す斜視図。
【符号の説明】
１…プロジェクタ、２…外装ケース、５，７…光学部品用筐体、６Ａ，６Ｂ…熱伝導枠（接触部）、５１，７１…光源収納部、５２，７２…光学部品収納部、４１１…光源装置、４６…投写レンズ（光学部品）、４１１Ａ…平行化凹レンズ（光学部品）、４１２…第１レンズアレイ（光学部品）、４１３…第２レンズアレイ（光学部品）、４１４…偏光変換光学素子（光学部品）、４１５…重畳レンズ（光学部品）、４１８…フィールドレンズ（光学部品）、４２１，４２２…ダイクロイックミラー（光学部品）、４２３…反射ミラー（光学部品）、４３１…入射側レンズ（光学部品）、４３２…反射ミラー（光学部品）、４３３…リレーレンズ（光学部品）、４３４…反射ミラー（光学部品）、４４１…液晶パネル（光学部品）、４４２…入射側偏光板（光学部品）、４４３…射出側偏光板（光学部品）、４４４…クロスダイクロイックプリズム（光学部品）、５１１，７１１…光源収納部本体、５１２…第１蓋部、５２１，７２１…光学部品収納部本体、５２２…第２蓋部、７１２…蓋部、Ｈ…位置決め穴。
【図１】
2004170703.tif 000003
【図２】
2004170703.tif 000004
【図３】
2004170703.tif 000005
【図４】
2004170703.tif 000006
【図５】
2004170703.tif 000007
【図６】
2004170703.tif 000008
【図７】
2004170703.tif 000009
【図８】
2004170703.tif 000010
【図９】
2004170703.tif 000011
【図１０】
2004170703.tif 000012
【図１１】
2004170703.tif 000013